(57)【要約】  指針式インテリジェントクロックの自動定期的時刻修正方法は、クロックが無線通信モジュールを介してモバイルインテリジェント端末に接続されて標準時刻を取得するステップと、クロックがモバイルインテリジェント端末に接続されない場合、内部の誤差補正パラメータテーブルをＭＣＵモジュールにより定期的にコマンド信号の方式で呼び出して補正時刻を取得するステップと、ムーブメントが指針の回転を制御し、標準時刻又は補正時刻に達するよう時刻を同期するステップとを含む。また、指針式インテリジェントクロックの時刻修正システムを開示する。該方法及びシステムによれば、クォーツムーブメント水晶振動子の誤差によって引き起こされるクロックの運針誤差問題を解決し、且つネットワークに接続されない場合でも自動時刻修正を実行することができる。
2019502904.tif 000002
【特許請求の範囲】
【請求項１】
指針式インテリジェントクロックの自動定期的時刻修正方法であって、前記クロックがＭＣＵモジュール、時刻基準とする水晶振動子、指針を駆動して回転するためのムーブメント及びモバイルインテリジェント端末と通信するための無線通信モジュールを含み、該自動定期的時刻修正方法は、
Ｑ１：前記モバイルインテリジェント端末が登録されたキャリアネットワークを使用して標準時刻を取得するステップと、
Ｑ２：前記モバイルインテリジェント端末が無線通信モジュールを介して前記クロックに接続される場合、ステップＱ３に移行し、接続されない場合、ステップＱ４に移行するステップと、
Ｑ３：前記クロックが定期的に前記モバイルインテリジェント端末へ請求を送信し、前記モバイルインテリジェント端末が請求に応じて標準時刻をコマンド信号で前記クロックに送信し、又は、前記モバイルインテリジェント端末が標準時刻をコマンド信号の形態で前記クロックに定期的且つ能動的にプッシュするステップと、
Ｑ４：前記ＭＣＵモジュールが定期的に内部の誤差補正パラメータテーブルをコマンド信号で呼び出すステップと、
Ｑ５：前記ＭＣＵモジュールがステップＱ３又はＱ４でのコマンド信号を解析し、前記ＭＣＵモジュールの既存の内部時刻と比較し、既存の内部時刻データがコマンド信号の時刻データと同期しない場合、前記ムーブメントが指針の回転を制御し、現在の正しい時刻に達するよう時刻を同期し、現在のクロックの時刻データがコマンド信号の時刻データと同期する場合、時刻修正を実行しないステップと、
Ｑ６：ステップＱ３に移行した場合、前記ＭＣＵモジュールはステップＱ３で得られた標準時刻とステップＱ５での内部時刻との比較データを記憶し、長期間正確に針が動くための誤差補正パラメータテーブルを生成するステップとを含むことを特徴とする指針式インテリジェントクロックの自動定期的時刻修正方法。
【請求項２】
前記誤差補正パラメータテーブルは、毎回のステップＱ３の場合で取得された標準時刻とステップＱ５での内部時刻との比較データがデータベースに記憶された後、全ての記憶された比較データの平均値を計算し、該平均値を長時間正確にタイミングするための誤差補正パラメータとするものであることを特徴とする請求項１に記載の指針式インテリジェントクロックの自動定期的時刻修正方法。
【請求項３】
前記誤差補正パラメータは、毎回ステップＱ３を実行する場合で定期的に時刻修正を実行するにつれてタイムリーに補正され、ステップＱ３での時刻修正を実行しない場合、前記誤差補正パラメータを変更しなく、前記誤差補正パラメータが外部電源オフの影響を受けないメモリーに記憶されることを特徴とする請求項２に記載の指針式インテリジェントクロックの自動定期的時刻修正方法。
【請求項４】
２４ｘＮ時間ごとに時刻修正を実行し、Ｎが１以上の整数であることを特徴とする請求項１に記載の指針式インテリジェントクロックの自動定期的時刻修正方法。
【請求項５】
前記無線通信モジュールは、低消費電力のブルートゥース通信モジュール、好ましくはブルートゥース４．０標準に基づく低消費電力のブルートゥース通信モジュールであることを特徴とする請求項１に記載の指針式インテリジェントクロックの自動定期的時刻修正方法。
【請求項６】
自動的に時刻修正を実行する前に、指針に指示される、ダイヤルに示された時刻が前記ＭＣＵモジュールの既存の内部時刻と一致することを確保するための指針校正ステップを追加することを特徴とする請求項１から５のいずれか１項に記載の指針式インテリジェントクロックの自動定期的時刻修正方法。
【請求項７】
前記指針校正ステップは、前記モバイルインテリジェント端末を介して指針のダイヤル位置を前記ＭＣＵモジュールに送信し、前記ＭＣＵモジュールが指針のダイヤル位置に基づいて指針を調整し、現在の指針に指示された位置が前記ＭＣＵモジュールの既存の内部時刻と一致することを確保することであることを特徴とする請求項６に記載の指針式インテリジェントクロックの自動定期的時刻修正方法。
【請求項８】
前記指針校正ステップにおいて前記モバイルインテリジェント端末は指針のダイヤル位置を撮影モジュールにより撮影又は撮像の方式で取得することを特徴とする請求項７に記載の指針式インテリジェントクロックの自動定期的時刻修正方法。
【請求項９】
前記指針校正ステップにおいて前記モバイルインテリジェント端末は指針のダイヤル位置を手動キー入力又はタッチスクリーン入力により取得することを特徴とする請求項７に記載の指針式インテリジェントクロックの自動定期的時刻修正方法。
【請求項１０】
請求項１から５及び７から９のいずれか１項に記載の自動定期的時刻修正方法を応用した時刻修正システムであって、前記時刻修正システムは、ＭＣＵモジュール、時刻基準とする水晶振動子、指針を駆動して回転するためのムーブメント及びモバイルインテリジェント端末と通信するための無線通信モジュールを含み、モバイルインテリジェント端末がキャリア基地局ネットワークに接続されたスマートフォンであり、無線通信モジュールがブルートゥース又は低消費電力のブルートゥースＢＬＥモジュールであり、スマートフォン、ＭＣＵモジュール及び無線通信モジュールが回路を介して接続され、ＭＣＵモジュールが指針を駆動して回転するためのムーブメントに接続され、指針がステアリングシャフトを介してムーブメントに接続され、ＭＣＵモジュールがコマンドを解析し、ムーブメントを介して指針の回転を制御して指針の位置を調整するためにコマンド操作に変換することに用いられることを特徴とする時刻修正システム。
【発明の詳細な説明】
【技術分野】
【０００１】
本発明は計時装置分野に、特にスマートウォッチの自動時刻修正方法及びシステムに関する。
【０００２】
本発明は、水晶振動子を時刻基準として使用するクォーツムーブメントのインテリジェント改造分野のみに限られる。
【０００３】
さらに、本発明は、指針式且つクォーツムーブメントを使用したインテリジェントクロック分野のみに限られる。
【背景技術】
【０００４】
現在、クォーツクロックは水晶振動子を使用して運針制御を行うが、水晶振動子自体は周波数誤差を有し、室温での一昼夜の運針誤差が約1秒である可能性があり、従来のクォーツウォッチは、時刻補正機能を備えないため、累積された誤差が一定の程度に達した場合に手動で補正するしかない。周波数誤差が小さい水晶振動子のコストも非常に高価であるため、クォーツクロックの正確性は水晶振動子の精度に依存することを引き起こす。
【０００５】
現在、ウォッチに対して時刻修正をＧＰＳ又は電波で実行することができる技術がある。時刻を電波で補正することを例として挙げると、電波時計に従来のクロック技術と現代の時刻周波数技術、マイクロエレクトロニクス技術、通信技術、コンピュータ技術などの複数の技術が組み合わせられ、国立タイムサービスセンターからの無線電長波で伝送された標準時刻信号を受信し、内蔵のマイクロプロセッサで復号し、タイマーの運針を自動的に補正することにより、電波時計に表示される時刻は国家が保持する標準時刻と正確に同期するように自動的に維持する。ユニークな技術は、時刻補正基地局から送信された「標準時刻」電波を毎日自動的に受信できる電波受信アンテナを内蔵していることにあり、この標準時刻電波は受信された現在の、年月日時分秒が含まれる正しい時刻情報を含み、電波時計は補正時刻を受信した後、時刻及びカレンダーを自動的に補正し、正しい時刻を表示することができる。時刻補正信号の送信基地局の計時装置がまれなセシウム（Ｃｅｓｉｕｍ）原子で作られ、１０万年にわたって1秒だけの誤差があり、そのためほとんど永久に標準時刻に維持できる。電波時計に、標準電波を受信して自動的に時刻を補正する高感度小型アンテナが内蔵されるので、時刻精度を達成できる。国際的には、ドイツ、イギリス、米国、日本では標準電波を送信することがある。
【０００６】
しかしながら、電波時計に代表される時刻修正技術に以下の問題が存在する。まず、無線伝送信号に大きく依存するため、信号状態が悪い場合、時刻修正を実行できない。次に、指針のずれ誤差の問題を解決できなく、具体的には、指針式ウォッチの指針が移動中に機械的にずれるため、指針が実際に指す位置はウォッチの内部時刻と一致しない。したがって、時刻修正を電波で実行すると、ウォッチの内部チップの時刻が実際の時刻と一致することのみを保証できるが、指針に指示される目盛がウォッチの内部チップの時刻と一致するかどうかの問題を解決できない。
【０００７】
従って、従来の水晶振動子を使用した指針式ウォッチに以下の問題がある。１、水晶振動子の誤差による時刻誤差、２、問題１を解決するための無線時刻修正による無線ネットワークへの依存、３、指針式ウォッチの指針の機械的誤差。したがって、自動時刻修正が成功した場合でも、ウォッチ内部のＭＣＵチップの時刻が実際の指針に指示される時刻と一致しない問題があるかもしれない。
【発明の概要】
【発明が解決しようとする課題】
【０００８】
本発明が解決しようとする課題は、複数回の時刻修正に基づいて自動的に誤差補正を行うスマートウォッチを提供することであり、また、本発明はスマートウォッチの時刻修正システムを開示することを含む。
【課題を解決するための手段】
【０００９】
本発明は以下の技術的特徴を含む。指針式インテリジェントクロックの自動定期的時刻修正方法であって、前記クロックは、ＭＣＵモジュール、時刻基準とする水晶振動子、指針を駆動して回転するためのムーブメント及びモバイルインテリジェント端末と通信するための無線通信モジュールを含み、該自動定期的時刻修正方法は、Ｑ１：前記モバイルインテリジェント端末が登録されたキャリアネットワークを使用して標準時刻を取得するステップと、Ｑ２：前記モバイルインテリジェント端末が無線通信モジュールを介して前記クロックに接続される場合、ステップＱ３に移行し、接続されない場合、ステップＱ４に移行するステップと、Ｑ３：前記クロックが定期的に前記モバイルインテリジェント端末へ請求を送信し、前記モバイルインテリジェント端末が請求に応じて標準時刻をコマンド信号で前記クロックに送信し、又は、前記モバイルインテリジェント端末が標準時刻をコマンド信号の形態で前記クロックに定期的且つ能動的にプッシュするステップと、Ｑ４：前記ＭＣＵモジュールが定期的に内部の誤差補正パラメータテーブルをコマンド信号で呼び出すステップと、Ｑ５：前記ＭＣＵモジュールがステップＱ３又はＱ４でのコマンド信号を解析し、前記ＭＣＵモジュールの既存の内部時刻と比較し、既存の内部時刻データがコマンド信号の時刻データと同期しない場合、前記ムーブメントが指針の回転を制御し、現在の正しい時刻に達するよう時刻を同期して、現在のクロックの時刻データがコマンド信号の時刻データと同期する場合、時刻修正を実行しないステップと、Ｑ６：ステップＱ３に移行した場合、前記ＭＣＵモジュールはステップＱ３で得られた標準時刻とステップＱ５での内部時刻との比較データを記憶し、長期間正確に運針するための誤差補正パラメータテーブルを生成するステップとを含む。
【００１０】
本発明で使用される方法は以下の有益な効果を有する。まず、水晶振動子の誤差によって引き起こされる時刻誤差問題を解決する。モバイルインテリジェント端末を介してキャリア基地局とのネットワーク接続を行って正確な時刻を取得し、インテリジェント端末を介して別のインテリジェントクロックに対してブルートゥースゼロ補正及び時刻修正などの制御操作を行い、衛星信号がカバーできない屋内又は閉鎖環境で、正確な時刻ソースを取得し、時刻修正のための操作を行うことができる。これにより、水晶振動子の誤差によって引き起こされる時刻誤差問題を克服し、スマートウォッチに使用される水晶振動子の精度を低減でき、これにより、スマートウォッチのコストを節約する。
【００１１】
次に、従来の、ウォッチに時刻修正を実行するために無線ネットワークを接続する必要があるという問題を解決する。発明者は、水晶振動子の誤差が同方向性を有し、即ち同じ水晶振動子が同じ時間間隔で同じ正偏差（又は負偏差）を有する傾向があることを複数回研究を通じて見出す。したがって、複数回の長時間の測定により水晶振動子の誤差値を計算し、該誤差値を定期的に補正し、時刻の正確性を保証することができる。本発明における複数回の定期的時刻修正のためのビッグデータの動的学習により水晶振動子の誤差を取得し、ネットワークに接続されない場合でも、自動補正の形式により、クロックが時刻の正確性を保証できることが可能となる。
【００１２】
好ましくは、前記誤差補正パラメータテーブルは、毎回のステップＱ３の場合で取得された標準時刻とステップＱ５での内部時刻との比較データがデータベースに記憶された後、全ての記憶された比較データの平均値を計算し、該平均値を長時間正確に針が動くための誤差補正パラメータとするものである。大量のビックデータ動的学習が必要であるため、大量の比較データを取得する必要があり、該データの平均値を計算し、水晶振動子の誤差値を求め、且つ該誤差値が複数ダイナミックに補正され、データのタイムリーな更新と正確性を保証する。
【００１３】
好ましくは、前記誤差補正パラメータは、毎回ステップＱ３を実行する場合で定期的に時刻修正を実行するにつれてタイムリーに補正され、ステップＱ３での時刻修正を実行しない場合、前記誤差補正パラメータを変更しなく、前記誤差補正パラメータが外部電源オフの影響を受けないメモリーに記憶される。該誤差補正パラメータに対して毎回ステップＱ３を実行する場合で取得されるデータでなければ意義がないので、このデータをフィルタリングする必要がある。定期的に時刻修正を実行して取得されるデータではない場合、例えば、ユーザが自ら開始する単回の時刻修正動作の場合、この場合の時刻修正がパーソナライズを必要とするため、誤差補正パラメータとして計算すべきではなく、この時の比較値は誤差補正パラメータに対して参照意義を持たないため、除外されるべきである。また、誤差補正パラメータは、ビックデータより取得された結果であり、該スマートウォッチの水晶振動子に適合し、時間が経過するにつれて、精度が高くなり、価値が高くなり、したがって、外部電源オフの影響を受けないメモリーに記憶される必要がある。
【００１４】
好ましくは、前記定期的時刻修正とは２４ｘＮ時間ごとに時刻修正を実行することであり、Ｎが１以上の整数である。
【００１５】
好ましくは、前記無線通信モジュールは、低消費電力のブルートゥース通信モジュールであり、好ましくブルートゥース４．０標準に基づく低消費電力のブルートゥース通信モジュールである。ブルートゥース４．０標準に基づく低消費電力のブルートゥース通信モジュールは、エネルギー消費を大幅に削減し、スマートウォッチの耐用年数を延長することができる。
【００１６】
好ましくは、自動的に時刻修正を実行する前に、指針に指示された、ダイヤルに示された時刻が前記ＭＣＵモジュールの既存の内部時刻と一致することを確保するための指針校正ステップを追加する。
【００１７】
該好ましい解決手段は指針式ウォッチの指針の機械的誤差問題、即ち指針式ウォッチのユニークな問題を解決するためのものである。指針式ウォッチの指針類は動作する時に、レバーのような構造の回転軸に支持されるため、動作中に外部の振動によって機械的誤差が発生しやすく、ウォッチのＭＣＵはこの偏差を識別できない。例えば、ウォッチのＭＣＵの内部時刻が１２時であるが、指針によって実際に指示された時刻が機械的誤差のため、正確に１２時に位置しない（１２時５秒に位置する可能性がある）可能性があり、ウォッチのＭＣＵはこの偏差を判定して識別できない。指針校正とはウォッチ内部のＭＣＵに記録された時刻を指針に指示された時刻に一致させることである。指針校正を行わない場合、自動時刻修正が成功してウォッチ内部のＭＣＵチップの時刻が標準時刻であっても、指針に反映して指示される時刻が標準時刻ではないかもしれなく、このようにウォッチの正確性を大幅に低下させ、また時刻修正の意義に影響を与える。指針校正ステップは、現在の指針に指示されるダイヤルの実際位置をクロックのＭＣＵモジュールに知らせ、クロックのＭＣＵモジュールの内部時刻が指針に実際に指示された時刻と一致するように判定して調整し、その後時刻修正を実行し、さらに時刻修正の正確性を確保することである。
【００１８】
好ましくは、前記指針校正ステップは、前記モバイルインテリジェント端末を介して指針のダイヤル位置を前記ＭＣＵモジュールに送信し、前記ＭＣＵモジュールが指針のダイヤル位置に基づいて指針を調整し、現在の指針に指示された位置時刻が前記ＭＣＵモジュールの既存の内部時刻と一致することを確保することである。
【００１９】
さらに、前記指針校正ステップにおいて前記モバイルインテリジェント端末は指針のダイヤル位置を撮影モジュールにより撮影又は撮像の方式で取得する。該好ましい解決手段において、指針の位置を撮影又は撮像の方式で入力すると、操作はさらに簡単になる。
【００２０】
さらに、前記指針校正ステップにおいて前記モバイルインテリジェント端末は指針のダイヤル位置を手動キー入力又はタッチスクリーン入力の方式で取得する。該好ましい解決手段において、手動キー入力又はタッチスクリーン入力に関わらず、それらはインテリジェント端末によって行われ、この入力方式により、指針の校正効率を大幅に高め、且つタッチスクリーン入力の方式により、ユーザ操作の体験及び操作上の利便性を大きく向上させる。
【００２１】
本発明はさらに以上の自動定期的時刻修正方法を応用した時刻修正システムを含み、前記時刻修正システムがＭＣＵモジュール、時刻基準とする水晶振動子、指針を駆動して回転するためのムーブメント及びモバイルインテリジェント端末と通信するための無線通信モジュールを含み、モバイルインテリジェント端末がキャリア基地局ネットワークに接続されたスマートフォンであり、無線通信モジュールがブルートゥース又は低消費電力のブルートゥースＢＬＥモジュールであり、スマートフォン、ＭＣＵモジュール及び無線通信モジュールが回路を介して接続され、ＭＣＵモジュールが指針を駆動して回転するためのムーブメントに接続され、指針がステアリングシャフトを介してムーブメントに接続され、ＭＣＵモジュールがコマンドを解析し、ムーブメントを介して指針の回転を制御して指針の位置を調整するためにコマンド操作に変換することに用いられる。
【００２２】
本発明に係る自動定期的時刻修正方法の時刻修正システムは、同様に水晶振動子の誤差による時刻誤差問題、及び従来の、ウォッチに時刻修正を実行するために無線ネットワークを接続する必要があるという問題を解決する。さらに、該時刻修正システムは指針式スマートウォッチが有する指針誤差問題も解決する。本発明の時刻修正方法及びシステムによれば、スマートウォッチの正確性を全面的に解決するとともに、水晶振動子の誤差問題、インテリジェント時刻修正のネットワークに対する依存性、及び指針式ウォッチの指針誤差問題を解決する解決手段が提供される。
【図面の簡単な説明】
【００２３】
【図１】本発明に係る自動定期的時刻修正方法のステップのフローチャートである。
【図２】本発明に係る時刻修正システムのモジュール接続図である。
【図３】本発明の指針の物理的位置をタッチスクリーンの方式により入力することを示す図である。
【図４】本発明の指針の物理的位置を撮影及び撮像により入力することを示す図である。
【発明を実施するための形態】
【００２４】
本発明の具体的な実施形態によれば、スマートウォッチの自動時刻修正の技術的手段が提供される。該インテリジェント時刻修正の技術的手段の説明書は水晶振動子を使用して運針制御を行うスマートウォッチ、さらに指針を使用したクロック装置に対する技術的問題を解決する。本実施例の技術的手段は以下の通りである。指針式インテリジェントクロックの自動定期時刻修正方法であって、前記クロックは、ＭＣＵモジュール、時刻基準とする水晶振動子、指針を駆動して回転するためのムーブメント及びモバイルインテリジェント端末と通信するための無線通信モジュールを含み、前記無線通信モジュールが低消費電力のブルートゥース通信モジュール、好ましくブルートゥース４．０標準に基づく低消費電力のブルートゥース通信モジュールである。
【００２５】
該自動時刻修正方法は、Ｑ１：前記モバイルインテリジェント端末が登録されたキャリアネットワークを使用して標準時刻を取得するステップと、Ｑ２：前記モバイルインテリジェント端末が無線通信モジュールを介して前記クロックに接続される場合、ステップＱ３に移行し、接続されない場合、ステップＱ４に移行するステップと、Ｑ３：前記クロックが定期的に前記モバイルインテリジェント端末へ請求を送信し、前記モバイルインテリジェント端末が請求に応じて標準時刻をコマンド信号で前記クロックに送信し、又は、前記モバイルインテリジェント端末が標準時刻をコマンド信号の形態で前記クロックに定期的且つ能動的にプッシュするステップと、Ｑ４：前記ＭＣＵモジュールが定期的に内部の誤差補正パラメータテーブルをコマンド信号で呼び出す。その中、前記誤差補正パラメータテーブルは、毎回のステップＱ３の場合で取得された標準時刻とステップＱ５での内部時刻との比較データがデータベースに記憶された後、全ての記憶された比較データの平均値を計算し、該平均値を長時間正確に針が動くための誤差補正パラメータとするものであるステップと、Ｑ５：前記ＭＣＵモジュールがステップＱ３又はＱ４でのコマンド信号を解析し、ＭＣＵモジュールの既存の内部時刻と比較し、既存の内部時刻データがコマンド信号の時刻データと同期しない場合、前記ムーブメントが指針の回転を制御し、現在の正しい時刻に達するよう時刻を同期し、現在のクロックの時刻データがコマンド信号の時刻データと同期する場合、時刻修正を実行しないステップと、Ｑ６：ステップＱ３に移行した場合、前記ＭＣＵモジュールはステップＱ３で得られた標準時刻とステップＱ５での内部時刻との比較データを記憶し、長期間正確に針が動くための誤差補正パラメータテーブルを生成するステップとを含む。
【００２６】
前記誤差補正パラメータは毎回ステップＱ３を実行する場合で定期的に時刻修正を実行するにつれてタイムリーに補正され、ステップＱ３での時刻修正を実行しない場合、誤差補正パラメータを変更しなく、前記補正パラメータは外部電源オフの影響を受けないメモリーに記憶される。前記定期的時刻修正とは２４ｘＮ時間ごとに時刻修正を実行することであり、Ｎが１以上の整数である。
【００２７】
以上の実施形態において、スマートウォッチは、ネットワークを介して時刻修正を実行することができ、毎回の時刻修正に基づいてスマートウォッチの水晶振動子誤差値を学習し、学習して得られた誤差値に基づき、ネットワークに接続できない場合、水晶振動子を自動的に補正することもできる。したがって、該解決手段は水晶振動子の誤差による時刻誤差問題を解決する。モバイルインテリジェント端末を介してキャリア基地局とネットワーク接続を行って正確な時刻を取得し、インテリジェント端末を介して別のインテリジェントクロックに対してブルートゥースゼロ補正及び時刻修正などの制御操作を行い、衛星信号がカバーできない屋内又は閉鎖環境でも、正確な時刻ソースを取得し、時刻修正のための操作を行うことができる。これにより、水晶振動子の誤差によって引き起こされる時刻誤差問題を克服し、スマートウォッチに使用される水晶振動子の精度を低減でき、これにより、スマートウォッチのコストを節約する。
【００２８】
次に、従来の、ウォッチに時刻修正を実行するために無線ネットワークを接続する必要があるという問題を解決する。発明者は、水晶振動子の誤差が同方向性を有し、即ち同じ水晶振動子が同じ時間間隔で同じ正偏差（又は負偏差）を有する傾向があることを複数回研究を通じて見出す。したがって、複数回の長時間の測定により水晶振動子の誤差値を計算し、該誤差値を定期的に補正し、時刻の正確性を保証することができる。本発明の複数回の定期的時刻修正のためのビッグデータの動的学習により水晶振動子の誤差を取得し、ネットワークに接続されない場合でも、自動補正の形式により、クロックが時刻の正確性を保証できることが可能となる。
【００２９】
指針の偏差問題を解決するために、前記自動時刻修正を実行する前に、指針に指示される、ダイヤルに示された時刻がＭＣＵモジュールの既存の内部時刻と一致することを確保するための指針校正ステップを追加する。前記指針校正ステップは、モバイルインテリジェント端末を介して指針のダイヤル位置を前記ＭＣＵモジュールに送信し、前記ＭＣＵモジュールが指針のダイヤル位置に基づいて指針を調整し、現在の指針に指示された位置時刻がＭＣＵモジュールの既存の内部時刻と一致することを確保することである。
【００３０】
モバイルインテリジェント端末が指針のダイヤル位置をＭＣＵモジュールに送信する方法は以下のいくつかの種類がある。前記校正ステップにおいてモバイルインテリジェント端末は指針のダイヤル位置を撮影モジュールにより撮影又は撮像の方式で取得する。前記校正ステップにおいてモバイルインテリジェント端末は指針のダイヤル位置を手動キー入力又はタッチスクリーン入力により取得する。
【００３１】
以下に上記のいくつかの指針のダイヤル位置を取得する方式について説明する。
一、指針のダイヤル位置をタッチスクリーン入力の方式により取得することは以下のステップを含む。
【００３２】
ステップＡ１：前記インテリジェント端末は前記クロックと無線接続を確立する。無線接続はブルートゥースと赤外線のような従来の無線接続技術、好ましくはブルートゥース４．０およびそれ以上のバージョンのブルートゥース標準に基づく技術のような低電力消費のブルートゥース技術を使用する。
【００３３】
次に、ステップＡ２：クロックが校正状態になると物理指針が停止して移動しない。指針を校正するため、クロックの物理指針が静止しなければならない。ここで、一つの校正モードを設定でき、校正モードになると物理指針は停止して移動しない。
【００３４】
次に、ステップＡ３：前記モバイルインテリジェント端末のタッチスクリーンにスクリーンダイヤルとスクリーン指針を表示し、前記タッチスクリーンはタッチ軌跡を識別し、識別されたタッチ軌跡の変化によりスクリーン指針の画像を動的に変化させ、タッチ軌跡を手動で入力してスクリーン指針の終点を現在の物理指針の位置として、前記モバイルインテリジェント端末は該スクリーン指針の位置に対応する時刻を記録する。該ステップは、物理指針の位置をタッチスクリーンによりモバイルインテリジェント端末に知らせ、インテリジェント端末に現在の物理指針の位置を記録させることに用いられる。校正のインタラクティブを高めるために、タッチスクリーンに、スクリーンに表示されたダイヤル及びスクリーンに表示された指針が現れ、ユーザは、スクリーンでスクリーン指針を直接動かすことができる。
【００３５】
さらに、具体的なステップによりスクリーン指針がダイナミックに指のタッチに伴って変化する場合、まず、Ａ３０１、前記タッチスクリーンのスクリーンダイヤルにモバイルインテリジェント端末が記録される座標ゼロ点位置があり、Ａ３０２、タッチスクリーンはタッチ始点の座標識別に入り、該タッチ始点の座標がモバイルインテリジェント端末によって記録され、Ａ３０３、前記スクリーン指針はタッチの始点を指し、且つ前記タッチスクリーンはタッチ軌跡変化過程座標を識別し、該過程座標が動的に識別されてスクリーンポイントに呼び出され、前記スクリーンポイントがタッチ軌跡の変化に伴って変化し、Ａ３０４、前記タッチスクリーンはタッチ終点の座標を識別し、該タッチ始点の座標がモバイルインテリジェント端末によって記録され、Ａ３０５、タッチ始点の座標、タッチ終点の座標と座標ゼロ点位置に基づき、タッチ軌跡の角度変化を計算し、スクリーン指針に対応する時刻データを取得する。
【００３６】
より良く説明するために、明細書の図面３を参照すると、インテリジェントクロック１、インテリジェントクロックの物理ダイヤル１１及び物理指針１２を備える。また、スクリーンダイヤル２１とスクリーン指針２２を含むモバイルインテリジェント端末２をさらに備える。調整する時に、ユーザはモバイルインテリジェント端末のスクリーンダイヤル２１に手でタッチし、スクリーン指針２２がタッチの移動軌跡に沿って変化し、ユーザはスクリーン指針２２を物理指針と同じ位置に移動し、タッチを停止する場合、モバイルインテリジェント端末は現在の物理指針１２の位置を計算し、対応する時刻データを取得することができる。
【００３７】
最終的にはステップＡ４、モバイルインテリジェント端末は、入力されたスクリーン指針のデータをコマンド信号の形態でクロックに伝送し、前記クロックのＭＣＵモジュールは、信号を解析して物理ポイントとの同期を行い、ＭＣＵモジュールと物理指針との時刻が一致するようにする。この場合、モバイルインテリジェント端末は物理指針の位置をインテリジェントクロックに知らせ、これによりインテリジェントクロックは該データをそのＭＣＵモジュールの内部時刻と比較し、最終的に同期に調整する。具体的には、Ａ４０１、ＭＣＵモジュールは物理指針の位置を取得して判定し、Ａ４０２、ＭＣＵモジュールの内部時刻と物理指針の時刻が一致すると、校正を終了し、ＭＣＵモジュールの内部時刻と物理指針の時刻が一致しないと、ＭＣＵモジュールは両者の差を計算し、物理指針がＭＣＵモジュールの内部時刻と一致する位置に駆動されて計時を続けるようにコマンドを送信する。
【００３８】
二、指針ダイヤルの位置を撮影の方式により取得することは以下のステップを含む。
【００３９】
まず、ステップＡ１、前記インテリジェント端末は前記クロックと無線接続を確立し、無線接続がブルートゥースと赤外線のような従来の無線接続技術、好ましくはブルートゥース４．０およびそれ以上のバージョンのブルートゥース標準に基づく技術のような低電力消費のブルートゥース技術を使用する。
【００４０】
次にステップＡ２、クロックが校正状態になると物理指針が停止して移動しなく、指針を校正するため、クロックの物理指針が静止しなければならない。ここで、一つの校正モードを設定でき、校正モードになると物理指針は停止して移動しない。
【００４１】
ステップＡ３、前記モバイルインテリジェント端末はダイヤル及び指針を撮影し、撮影された画像が識別された後、物理指針に対応する時刻データを取得する。さらに、前記ステップＡ３は、具体的には、Ａ３０１、前記モバイルインテリジェント端末がダイヤル及び指針を撮影して画像を取得し、Ａ３０２、前記画像データに対して画素解析を行い、画素識別により指針とダイヤルの目盛座標データを読み取り、Ａ３０３、指針とダイヤルの目盛座標データに基づいて指針とダイヤルの目盛との相対位置を取得し、Ａ３０４、前記相対位置のデータに基づいて物理指針に対応する時刻データを取得する。
【００４２】
別の好ましい実施形態において、前記指針とダイヤルの目盛にマーキング材料がコーティング、象嵌又は内蔵され、前記撮影モジュールは該マーキング材料を識別でき、前記ステップＡ３は、具体的には、Ａ３０１、前記モバイルインテリジェント端末がダイヤル及び指針を撮影して画像を取得し、Ａ３０２、前記画像のマーキング材料の情報により指針とダイヤルの目盛座標データを取得し、Ａ３０３、指針とダイヤルの目盛座標データに基づいて指針とダイヤルの目盛との相対位置を取得し、Ａ３０４、前記相対位置のデータに基づいて物理指針に対応する時刻データを取得する。
【００４３】
該実施形態において、前記マーキング材料は蛍光材料、又は放射性同位体材料、又は反射材料である。
【００４４】
マーキング材料を使用する利点は、画像分析を簡素化でき、特にダイヤルに複数の指針がある場合に適合することである。複数の指針があるスマートウォッチに対して、時刻を指示することに加えて日付の指示機能を有し、そのためダイヤルに一部の指針のサイズが小さく、画素分析だけで識別するとエラーの確率が高い。マーキング材料を使用して識別すると、各指針の状態及びダイヤルにある位置をタイムリー且つ正確的に取得することができ、識別の正確性を大幅に向上させる。
【００４５】
最終的にはステップＡ４、モバイルインテリジェント端末は、前記時刻データをコマンド信号の形態でクロックに伝送し、前記クロックのＭＣＵモジュールは、信号を解析して物理ポイントとの同期を行い、ＭＣＵモジュールと物理指針の時刻が一致するようにする。
【００４６】
さらに、前記ステップＡ４においてクロックのＭＣＵモジュールを物理指針と同期させるステップは以下の通りである。Ａ４０１、ＭＣＵモジュールは物理指針の位置を取得して判定し、Ａ４０２、ＭＣＵモジュールの内部時刻と物理指針の時刻が一致すると、校正を終了し、ＭＣＵモジュールの内部時刻と物理指針の時刻が一致しないと、ＭＣＵモジュールは、両者の差を計算し、物理指針がＭＣＵモジュールの内部時刻と一致する位置に駆動されてタイミングを続けるようにコマンドを送信する。
【００４７】
より良く説明するために、明細書の図面４を参照すると、インテリジェントクロック１、インテリジェントクロックの物理ダイヤル１１及び物理指針１２を備える。また、撮影モジュール２１を含むモバイルインテリジェント端末２をさらに備える。調整する時に、撮影モジュール２１はインテリジェントクロックのダイヤルを撮影し、モバイルインテリジェント端末は現在の物理指針１２の位置を計算し、対応する時刻データを取得することができる。
【００４８】
三、指針ダイヤルの位置を撮像の方式により取得することは以下のステップを含む。
【００４９】
まず、ステップＡ１、前記インテリジェント端末は前記クロックと無線接続を確立し、該無線接続がブルートゥース４．０およびそれ以上標準に基づくブルートゥース接続技術のような低電力消費の無線ブルートゥース接続技術であってもよい。
【００５０】
ステップＡ２、前記モバイルインテリジェント端末はダイヤル及び指針を撮像し、前記モバイルインテリジェント端末はリアルタイムの映像データを識別し、物理指針の移動座標を取得し、物理指針に指示された時刻データを計算する。該ステップにおいて、具体的には、Ａ２０１、前記モバイルインテリジェント端末はダイヤル及び指針を撮像し、一定期間の指針の動き画像を取得し、Ａ２０２、前記画像に対して画素解析を行い、画素識別により指針とダイヤルの目盛座標データと変化速度を読み取り、Ａ２０３、座標データと変化速度により、現在の物理指針の座標位置及び動き傾向を計算し、Ａ２０４、前記物理指針の座標位置及び動き傾向を時刻データのコマンド信号に形成する。
【００５１】
識別の正確性を高めるために、前記指針とダイヤル目盛にマーキング材料がコーティング、象嵌又は内蔵され、前記撮像モジュールは該マーキング材料を識別できる。前記マーキング材料は蛍光材料、又は放射性同位体材料、又は反射材料である。
【００５２】
最終的には、ステップＡ３、モバイルインテリジェント端末は、前記時刻データをコマンド信号の形態でクロックに伝送し、前記クロックのＭＣＵモジュールは信号を解析して物理指針との同期を行い、ＭＣＵモジュールと物理指針の動き位置が一致するようにする。該ステップにおいて、まず、Ａ４０１、ＭＣＵモジュールは物理指針の時刻データを取得して判定し、Ａ４０２、ＭＣＵモジュールの内部時刻と時刻データの位置が一致すると、校正を終了し、ＭＣＵモジュールの内部時刻と物理指針の時刻が一致しないと、ＭＣＵモジュールは両者の差を計算し、物理指針がＭＣＵモジュールの内部時刻と一致する位置に駆動されて計時を続けるようにコマンドを送信する。
【００５３】
より良く説明するために、明細書の図面４を参照すると、インテリジェントクロック１、インテリジェントクロックの物理ダイヤル１１及び物理指針１２を備える。また、撮像モジュール２１を含むモバイルインテリジェント端末２をさらに備える。調整する時に、撮像モジュール２１はインテリジェントクロックのダイヤルを撮像し、これにより、モバイルインテリジェント端末は現在の物理指針１２の位置を計算し、対応する時刻データを取得することができる。
【００５４】
当然、本発明はまた上記の方法を応用したシステムを開示する。該システムはＭＣＵモジュール、時刻基準とする水晶振動子、指針を駆動して回転するためのムーブメント及びモバイルインテリジェント端末と通信するための無線通信モジュールを含む。その中、モバイルインテリジェント端末はキャリア基地局ネットワークに接続されたスマートフォンであり、無線通信モジュールはブルートゥース又は低消費電力のブルートゥースＢＬＥモジュールであり、スマートフォン、ＭＣＵモジュール及び無線通信モジュールは回路を介して接続され、ＭＣＵモジュールが指針を駆動して回転するためのムーブメントに接続され、指針がステアリングシャフトを介してムーブメントに接続され、ＭＣＵモジュールはコマンドを解析し、ムーブメントを介して指針の回転を制御して指針の位置を調整するためにコマンド操作に変換することに用いられる。
【００５５】
上述した明細書の開示及び教示によれば、本発明の所属分野の技術者は上記実施形態に対して変更および修正を行うことができる。したがって、本発明は以上に開示及び記載された具体的な実施形態に限定されなく、本発明に対するいくつかの修正および変更も本発明の請求の保護範囲以内に含まれるべきである。その他、いくつかの特定の用語が本明細書で使用されるが、これらの用語は説明の便宜のためのものに過ぎず、本発明を限定するものではない。
【図１】
2019502904.tif 000003
【図２】
2019502904.tif 000004
【図３】
2019502904.tif 000005
【図４】
2019502904.tif 000006
【国際調査報告】
2019502904.tif 000007
2019502904.tif 000008
2019502904.tif 000009
2019502904.tif 000010